(57)【要約】【課題】光学素子を歪みなく保持することができる光学素子保持機構、当該光学素子保持機構を備えるレーザー走査光学装置、当該レーザー走査光学装置を備える画像形成装置、及び当該光学素子保持機構における光学素子保持方法を提供する。【解決手段】光学素子６２を保持位置で支持する支持ピン６３と、光学素子６２から退避した状態で保持可能に構成され、退避した状態から支持ピン６３により支持された光学素子６２に当接する方向に移動して、光学素子６２に当接することで光学素子６２の保持位置を調整する調整ピン６６と、光学素子６２を挟んで調整ピン６６と対向する位置に、光学素子６２から退避した状態で保持可能に構成され、退避した状態から調整ピン６６により保持位置が調整された光学素子６２に当接する方向に移動して、光学素子６２を押圧する第２押圧ピン６８と、を備える。【選択図】図３
2014013332.tif 000002
【特許請求の範囲】
【請求項１】
光学素子を保持位置で支持する支持部材と、
前記光学素子から退避した状態で保持可能に構成され、前記退避した状態から前記支持部材により支持された前記光学素子に当接する方向に移動して、前記光学素子に当接することで前記光学素子の保持位置を調整する調整部材と、
前記光学素子を挟んで前記調整部材と対向する位置に、前記光学素子から退避した状態で保持可能に構成され、前記退避した状態から前記調整部材により保持位置が調整された前記光学素子に当接する方向に移動して、前記光学素子を押圧する押圧部材と、
を備えることを特徴とする光学素子保持機構。
【請求項２】
前記支持部材は、前記光学素子を３点で位置決めしていることを特徴とする請求項１に記載の光学素子保持機構。
【請求項３】
前記調整部材と前記光学素子が接触する点と前記押圧部材と前記光学素子が接触する点とを結ぶ直線と、前記調整部材と前記光学素子が接触する点近傍の光学面の法線と、が平行であることを特徴とする請求項１又は２に記載の光学素子保持機構。
【請求項４】
前記調整部材は、前記光学素子の長手方向に沿って複数配置され、
前記複数の調整部材は、各々移動方向が異なることを特徴とする請求項１〜３のいずれか一項に記載の光学素子保持機構。
【請求項５】
前記調整部材は、前記光学素子の短手方向に複数列配置されていることを特徴とする請求項４に記載の光学素子保持機構。
【請求項６】
前記調整部材と前記光学素子が接触する点と前記押圧部材と前記光学素子が接触する点とを結ぶ直線、前記調整部材の移動方向、及び前記押圧部材の移動方向の全てが平行であることを特徴とする請求項１又は２に記載の光学素子保持機構。
【請求項７】
前記調整部材及び前記押圧部材の前記光学素子に当接する側の一端は、互いに同径の球形状に形成されていることを特徴とする請求項１〜６のいずれか一項に記載の光学素子保持機構。
【請求項８】
前記光学素子を保持する光学素子ホルダーを備え、
前記光学素子ホルダーには、前記押圧部材を挿通可能な押圧部材挿通孔を有し、当該押圧部材挿通孔に前記押圧部材を挿通させて前記押圧部材を保持する押圧部材ホルダーが備えられ、
前記押圧部材は、
前記光学素子を押圧するための押圧力を発生させる圧縮コイルバネと、
他端側に形成されたロックピン挿通孔に挿通可能に形成され、前記ロックピン挿通孔を前記押圧部材ホルダーの上方に位置させた状態で前記ロックピン挿通孔に挿通されて当該押圧部材を前記光学素子から退避した状態で固定するロックピンと、を備え、
前記押圧部材から前記ロックピンを引き抜くことにより、当該押圧部材を前記光学素子に当接する方向に移動可能であることを特徴とする請求項１〜７のいずれか一項に記載の光学素子保持機構。
【請求項９】
前記光学素子を保持する光学素子ホルダーを備え、
前記光学素子ホルダーには、前記押圧部材を挿通可能な押圧部材挿通孔を有し、当該押圧部材挿通孔に前記押圧部材を挿通させて前記押圧部材を保持する押圧部材ホルダーが備えられ、
前記押圧部材は、
前記光学素子を押圧するための押圧力を発生させる圧縮コイルバネと、
他端側に形成されたロックピン挿通孔に挿通された状態で固定され、前記押圧部材ホルダーに前記押圧部材挿通孔と一体形成された嵌合溝に直交する方向に載置されて当該押圧部材を前記光学素子から退避した状態で固定する固定ロックピンと、を備え、
前記押圧部材を、当該押圧部材の移動方向を回転軸として回転させ、前記固定ロックピンを前記嵌合溝に嵌合させることにより、当該押圧部材を前記光学素子に当接する方向に移動可能であることを特徴とする請求項１〜７のいずれか一項に記載の光学素子保持機構。
【請求項１０】
前記光学素子を保持する光学素子ホルダーを備え、
前記光学素子ホルダーには、前記押圧部材を挿通可能な押圧部材挿通孔を有し、当該押圧部材挿通孔に前記押圧部材を挿通させて前記押圧部材を保持する押圧部材ホルダーが備えられ、
前記押圧部材挿通孔の内周面は、前記押圧部材の他端側に形成されたネジ部と螺合するように形成され、
前記押圧部材は、
前記光学素子を押圧するための押圧力を発生させる圧縮コイルバネを備え、
前記押圧部材を、当該押圧部材の移動方向を回転軸として回転させることにより、当該押圧部材を前記光学素子に当接する方向に移動可能であることを特徴とする請求項１〜７のいずれか一項に記載の光学素子保持機構。
【請求項１１】
レーザー光を出射する光源と、
前記光源から出射されたレーザー光を偏向する偏向器と、
前記偏向器によりにより偏向されたレーザー光を被照射体上に集光する長尺光学素子と、
前記長尺光学素子を保持する請求項１〜１０のいずれか一項に記載の光学素子保持機構と、
を備えることを特徴とするレーザー走査光学装置。
【請求項１２】
感光体と、
前記感光体を帯電する帯電部と、
前記帯電部により帯電された前記感光体に対してレーザー光を照射することで前記感光体上に静電潜像を形成する請求項１１に記載のレーザー走査光学装置と、
前記レーザー光を照射された前記感光体に現像剤を供給することで前記静電潜像を現像剤による像に顕像化する現像部と、
前記現像剤による像を記録媒体に転写する転写部と、
前記転写部により転写された前記現像剤による像を前記記録媒体に定着する定着部と、を備えることを特徴とする画像形成装置。
【請求項１３】
前記光学素子を位置決めした状態で、前記光学素子から退避した状態で保持され、前記退避した状態から前記光学素子に当接する方向に移動可能な調整部材を移動させて前記光学素子に当接させる調整部材当接工程と、
前記調整部材当接工程で前記調整部材を前記光学素子に当接させた後、前記光学素子を挟んで前記調整部材と対向する位置に、前記光学素子から退避した状態で保持され、前記退避した状態から前記光学素子に当接する方向に移動可能な押圧部材を前記光学素子に当接する方向に移動させて前記光学素子を押圧させる光学素子押圧工程と、
を含む光学素子保持方法。
【発明の詳細な説明】
【技術分野】
【０００１】
本発明は、光学素子保持機構、当該光学素子保持機構を備えるレーザー走査光学装置、当該レーザー走査光学装置を備える画像形成装置、及び当該光学素子保持機構における光学素子保持方法に関する。
【背景技術】
【０００２】
従来、レーザープリンターやデジタル複写機などの画像形成装置には、光源ホルダーに保持された光源より出射されるレーザー光を用いて感光体を走査するレーザー走査光学装置が搭載されている。
近年、レーザー走査光学装置に対する要求性能は益々高くなり、光学素子の性能や取り付け精度も高精度化の傾向にある。特に、長尺の光学素子は、光学素子ホルダーに取り付け固定する際に変形しやすいため、保持する際の取り扱いが困難である。
【０００３】
従来の光学素子の保持機構として、長尺光学素子を弾性力により押圧する弾性部材と、弾性部材と対をなし弾性部材からの押圧力に対向して長尺光学素子を支持する支持部材及び調整部材と、を備え、ホルダー部材に固定又は一体形成された支持部材が長尺光学素子の長手方向両端部を支持するとともに、ホルダー部材に保持された調整部材が弾性部材からの押圧力の方向に移動可能であるものが開示されている（例えば、特許文献１参照）。特許文献１記載の技術によれば、長尺光学素子の歪み量を調整することができるので、理想状態からずれた形状を呈する長尺光学素子又は長尺光学素子以外の光学部品の形状誤差又は組立誤差に起因する走査線の曲がり等のビーム位置性能を補正することができる。
【先行技術文献】
【特許文献】
【０００４】
【特許文献１】特許第４７４４１２５号公報
【発明の概要】
【発明が解決しようとする課題】
【０００５】
しかしながら、上述した特許文献１記載の光学素子の保持機構では、ビーム位置性能を補正する際に光学素子を歪ませることで応力が発生し、環境変化が繰り返されることで当該応力が変化するので、結果的にビーム位置性能が初期調整時から変化してしまうといった問題が発生する。
また、光学素子がミラーなどの反射系の場合、ビーム位置性能を補正するために光学素子を歪ませると、ビーム径や像面湾曲などのビーム結像性能が大きく悪化するといった問題が発生する。
【０００６】
本発明は、光学素子を歪みなく保持することができる光学素子保持機構、当該光学素子保持機構を備えるレーザー走査光学装置、当該レーザー走査光学装置を備える画像形成装置、及び当該光学素子保持機構における光学素子保持方法を提供することを目的とする。
【課題を解決するための手段】
【０００７】
請求項１に記載の発明は、上記目的を達成するためになされたものであり、
光学素子保持機構において、
光学素子を保持位置で支持する支持部材と、
前記光学素子から退避した状態で保持可能に構成され、前記退避した状態から前記支持部材により支持された前記光学素子に当接する方向に移動して、前記光学素子に当接することで前記光学素子の保持位置を調整する調整部材と、
前記光学素子を挟んで前記調整部材と対向する位置に、前記光学素子から退避した状態で保持可能に構成され、前記退避した状態から前記調整部材により保持位置が調整された前記光学素子に当接する方向に移動して、前記光学素子を押圧する押圧部材と、
を備えることを特徴とする。
【０００８】
請求項２に記載の発明は、請求項１に記載の光学素子保持機構において、
前記支持部材は、前記光学素子を３点で位置決めしていることを特徴とする。
【０００９】
請求項３に記載の発明は、請求項１又は２に記載の光学素子保持機構において、
前記調整部材と前記光学素子が接触する点と前記押圧部材と前記光学素子が接触する点とを結ぶ直線と、前記調整部材と前記光学素子が接触する点近傍の光学面の法線と、が平行であることを特徴とする。
【００１０】
請求項４に記載の発明は、請求項１〜３のいずれか一項に記載の光学素子保持機構において、
前記調整部材は、前記光学素子の長手方向に沿って複数配置され、
前記複数の調整部材は、各々移動方向が異なることを特徴とする。
【００１１】
請求項５に記載の発明は、請求項４に記載の光学素子保持機構において、
前記調整部材は、前記光学素子の短手方向に複数列配置されていることを特徴とする。
【００１２】
請求項６に記載の発明は、請求項１又は２に記載の光学素子保持機構において、
前記調整部材と前記光学素子が接触する点と前記押圧部材と前記光学素子が接触する点とを結ぶ直線、前記調整部材の移動方向、及び前記押圧部材の移動方向の全てが平行であることを特徴とする。
【００１３】
請求項７に記載の発明は、請求項１〜５のいずれか一項に記載の光学素子保持機構において、
前記調整部材及び前記押圧部材の前記光学素子に当接する側の一端は、互いに同径の球形状に形成されていることを特徴とする。
【００１４】
請求項８に記載の発明は、請求項１〜７のいずれか一項に記載の光学素子保持機構において、
前記光学素子を保持する光学素子ホルダーを備え、
前記光学素子ホルダーには、前記押圧部材を挿通可能な押圧部材挿通孔を有し、当該押圧部材挿通孔に前記押圧部材を挿通させて前記押圧部材を保持する押圧部材ホルダーが備えられ、
前記押圧部材は、
前記光学素子を押圧するための押圧力を発生させる圧縮コイルバネと、
他端側に形成されたロックピン挿通孔に挿通可能に形成され、前記ロックピン挿通孔を前記押圧部材ホルダーの上方に位置させた状態で前記ロックピン挿通孔に挿通されて当該押圧部材を前記光学素子から退避した状態で固定するロックピンと、を備え、
前記押圧部材から前記ロックピンを引き抜くことにより、当該押圧部材を前記光学素子に当接する方向に移動可能であることを特徴とする。
【００１５】
請求項９に記載の発明は、請求項１〜７のいずれか一項に記載の光学素子保持機構において、
前記光学素子を保持する光学素子ホルダーを備え、
前記光学素子ホルダーには、前記押圧部材を挿通可能な押圧部材挿通孔を有し、当該押圧部材挿通孔に前記押圧部材を挿通させて前記押圧部材を保持する押圧部材ホルダーが備えられ、
前記押圧部材は、
前記光学素子を押圧するための押圧力を発生させる圧縮コイルバネと、
他端側に形成されたロックピン挿通孔に挿通された状態で固定され、前記押圧部材ホルダーに前記押圧部材挿通孔と一体形成された嵌合溝に直交する方向に載置されて当該押圧部材を前記光学素子から退避した状態で固定する固定ロックピンと、を備え、
前記押圧部材を、当該押圧部材の移動方向を回転軸として回転させ、前記固定ロックピンを前記嵌合溝に嵌合させることにより、当該押圧部材を前記光学素子に当接する方向に移動可能であることを特徴とする。
【００１６】
請求項１０に記載の発明は、請求項１〜７のいずれか一項に記載の光学素子保持機構において、
前記光学素子ホルダーには、前記押圧部材を挿通可能な押圧部材挿通孔を有し、当該押圧部材挿通孔に前記押圧部材を挿通させて前記押圧部材を保持する押圧部材ホルダーが備えられ、
前記押圧部材挿通孔の内周面は、前記押圧部材の他端側に形成されたネジ部と螺合するように形成され、
前記押圧部材は、
前記光学素子を押圧するための押圧力を発生させる圧縮コイルバネを備え、
前記押圧部材を、当該押圧部材の移動方向を回転軸として回転させることにより、当該押圧部材を前記光学素子に当接する方向に移動可能であることを特徴とする。
【００１７】
請求項１１に記載の発明は、レーザー走査光学装置において、
レーザー光を出射する光源と、
前記光源から出射されたレーザー光を偏向する偏向器と、
前記偏向器によりにより偏向されたレーザー光を被照射体上に集光する長尺光学素子と、
前記長尺光学素子を保持する請求項１〜１０のいずれか一項に記載の光学素子保持機構と、
を備えることを特徴とする。
【００１８】
請求項１２に記載の発明は、画像形成装置において、
感光体と、
前記感光体を帯電する帯電部と、
前記帯電部により帯電された前記感光体に対してレーザー光を照射することで前記感光体上に静電潜像を形成する請求項１１に記載のレーザー走査光学装置と、
前記レーザー光を照射された前記感光体に現像剤を供給することで前記静電潜像を現像剤による像に顕像化する現像部と、
前記現像剤による像を記録媒体に転写する転写部と、
前記転写部により転写された前記現像剤による像を前記記録媒体に定着する定着部と、を備えることを特徴とする。
【００１９】
請求項１３に記載の発明は、
前記光学素子を位置決めした状態で、前記光学素子から退避した状態で保持され、前記退避した状態から前記光学素子に当接する方向に移動可能な調整部材を移動させて前記光学素子に当接させる調整部材当接工程と、
前記調整部材当接工程で前記調整部材を前記光学素子に当接させた後、前記光学素子を挟んで前記調整部材と対向する位置に、前記光学素子から退避した状態で保持され、前記退避した状態から前記光学素子に当接する方向に移動可能な押圧部材を前記光学素子に当接する方向に移動させて前記光学素子を押圧させる光学素子押圧工程と、
を含む光学素子保持方法である。
【発明の効果】
【００２０】
本発明によれば、光学素子に歪みが生じていない状態で調整部材の位置を決めた後、押圧部材により光学素子を押圧させて固定することができることとなって、光学素子を歪みなく保持することが可能となる。
【図面の簡単な説明】
【００２１】
【図１】本実施形態に係る画像形成装置の概略構成を示す図である。
【図２】本実施形態に係るレーザー走査光学装置の概略構成を示す図である。
【図３】本実施形態に係る第三の光学系の全体構成を示す斜視図である。
【図４】本実施形態に係る調整ピン及び第２押圧ピンの構成を示す側面図である。
【図５】本実施形態に係る第２押圧ピンの構成を示す斜視図である。
【図６】調整ピン及び第２押圧ピンがともに退避した状態を模式的に示す側面図である。
【図７】光学素子上に配置される支持ピン及び調整ピンの配置箇所を示す底面図である。
【図８】図６の状態から調整ピンを光学素子に当接させた状態を模式的に示す側面図である。
【図９】図８の状態から第２押圧ピンの退避状態を解除した状態を模式的に示す側面図である。
【図１０】調整ピン及び第２押圧ピンの位置関係を模式的に示す側面図である。
【図１１】調整ピン及び第２押圧ピンの位置関係を模式的に示す側面図である。
【図１２】変形例１に係る第２押圧ピンの構成を示す側面図である。
【図１３】変形例１に係る第２押圧ピンの構成を示す斜視図である。
【図１４】変形例２に係る第２押圧ピンの構成を示す側面図である。
【図１５】変形例２に係る第２押圧ピンの構成を示す斜視図である。
【図１６】調整ピン及び第２押圧ピンの配置の一変形例を示す側面図である。
【図１７】調整ピン及び第２押圧ピンの配置及び移動方向の一変形例を示す側面図である。
【発明を実施するための形態】
【００２２】
以下に、本発明を実施するための最良の形態について、図面を用いて説明する。
【００２３】
本実施形態に係る画像形成装置１０００は、例えば、レーザープリンターやデジタル複写機等として用いられ、図１に示すように、シアン色、マゼンタ色、イエロー色、ブラック色の各色ごとに設けられた複数のレーザー走査光学装置１００と、レーザー走査光学装置１００に対応して設けられた感光体ドラム等の感光体（被照射体）２００と、感光体２００を帯電する帯電部２１０と、レーザー光を照射された感光体２００に現像剤を供給することで静電潜像を現像剤による像に顕像化する現像部２２０と、中間転写ベルト３００と、現像剤による像を記録媒体に転写する転写ローラ（転写部）４００と、転写ローラ４００により転写された現像剤による像を記録媒体に定着する定着部５００と、等を備えて構成される。
【００２４】
画像形成装置１０００は、レーザー走査光学装置１００より照射されるレーザー光によって静電潜像が形成された感光体２００に現像剤を供給することで当該静電潜像を現像剤による像に顕像化し、中間転写ベルト３００上に当該現像剤による像を転写させる。次に、画像形成装置１０００は、中間転写ベルト３００に転写された現像剤による像を転写ローラ４００によって記録媒体としての用紙Ｐに押圧して転写させ、定着部５００によって当該用紙Ｐを加熱及び加圧することで、現像剤による像を用紙Ｐ上に定着する。そして、画像形成装置１０００は、用紙Ｐを排紙ローラ（図示省略）等により搬送してトレイ（図示省略）に排紙することで画像形成処理を行う。
【００２５】
レーザー走査光学装置１００は、図１、２に示すように、帯電部２１０により帯電された感光体２００に対してレーザー光Ｌを照射することで感光体２００上に静電潜像を形成する装置である。レーザー走査光学装置１００は、レーザー光Ｌを出射させる光源１と、光源１を保持する光源ホルダー２と、光源１より出射されたレーザー光Ｌを平行光化させる第一の光学系３と、第一の光学系３を透過したレーザー光Ｌの副走査方向成分のみを収束させる第二の光学系４と、第二の光学系４を透過したレーザー光Ｌを偏向させる偏向器５と、偏向器５により偏向されたレーザー光Ｌを感光体２００上に集光させる第三の光学系６と、偏向器５により偏向されたレーザー光Ｌの一部を集光させる第四の光学系７と、第四の光学系７を透過したレーザー光Ｌを入力するセンサー８と、を備えて構成され、これらを光学ハウジング９で保持するようになっている。
【００２６】
光源１は、レーザー光Ｌを出射させる半導体レーザーである。光源１から出射されたレーザー光Ｌは、第一の光学系３へと照射される。
光源ホルダー２は、光源１を保持するためのホルダーである。
【００２７】
第一の光学系３は、コリメータレンズなどを含んで構成され、光源１から出射されたレーザー光を発散光から平行光に変換する。
第二の光学系４は、スリットやシリンドリカルレンズを含んで構成される。そして、第二の光学系４は、スリットにより、感光体２００上でビームスポットが整形されるように、第一の光学系３により平行光に変換されたレーザー光Ｌの透過量を制限する。また、第二の光学系４は、シリンドリカルレンズにより、第一の光学系３により平行光に変換されたレーザー光Ｌを副走査方向に収束させる。
【００２８】
偏向器５は、側面が鏡面からなる多角柱形状をしたポリゴンミラーと、ポリゴンミラーに回動力を付与してポリゴンミラーを回動させるモータと、を含んで構成される。偏向器５は、第二の光学系４を透過したレーザー光Ｌを回転に応じた向きに偏向する。そして、偏向器５は、偏向させたレーザー光Ｌを第三の光学系６を介して感光体２００の周面に照射する。この際、偏向器５は、回転位置に応じて感光体２００の長手方向の異なる位置にレーザー光Ｌを照射するため、主走査方向（図２における感光体２００の長手方向）へのレーザー光Ｌの走査を可能にする。
【００２９】
第三の光学系６は、偏向器５で偏向されたレーザー光Ｌを感光体２００表面に集光し、結像させる。また、第三の光学系６は、レーザー光Ｌを感光体２００表面に集光するための長尺の光学素子６２を複数備え、当該光学素子６２を光学素子ホルダー６１により固定し、保持させる構成（光学素子保持機構）となっている（図３等参照）。
第四の光学系７は、シリンドリカルレンズなどを含んで構成される。そして、第四の光学系７は、偏向器５により偏向されたレーザー光Ｌの一部を集光し、集光したレーザー光Ｌをセンサー８に入射させる。
【００３０】
センサー８は、第四の光学系７により集光されたレーザー光Ｌを検出する光センサーである。そして、レーザー走査光学装置１００を備えた画像形成装置１０００の制御部（図示省略）は、センサー８より検出される検出信号に基づいて、感光体２００への書き出し位置のタイミング調整などを行う。
【００３１】
（光学素子ホルダー６１により光学素子６２を固定する構成）
次に、図３〜図５を用いて、光学素子ホルダー６１により光学素子６２を固定する構成を説明する。なお、図３〜図５については、説明の都合上、光学素子ホルダー６１の記載を二点鎖線で示すようにし、光学素子ホルダー６１内部の構造を見えやすくしている。
【００３２】
以下の説明では、図３等に示す光学素子ホルダー６１の長手方向をＹ方向、短手方向をＺ方向、Ｙ方向及びＺ方向に直交する方向をＸ方向とする。また、図３等に示す第三の光学系６において、後述する第１押圧ピン６７及び第２押圧ピン６８が配置された側を上側、上側と反対方向を下側とする。本実施形態では、光学素子６２に対して、Ｘ方向、即ち、上下方向にレーザー光Ｌが入射して透過するようになっている。即ち、Ｘ方向は、レーザー光Ｌの光軸方向と一致する。
【００３３】
光学素子ホルダー６１は、図３に示すように、Ｙ方向に長尺で且つ上面側が開口した略箱状部材で形成された光学素子ケース６１１と、光学素子ケース６１１の上面側を上方から覆う略蓋状部材で形成された光学素子カバー６１２と、を備えて構成され、内部に光学素子６２を挿入して保持することができるようになっている。光学素子ケース６１１及び光学素子カバー６１２は、内部に挿入される光学素子６２の形状に合わせて、Ｘ方向上方にわずかに湾曲した形状に形成されている。
【００３４】
光学素子ケース６１１のＹ方向両端部には、光学素子６２をＸ方向下方から保持位置で支持する支持ピン（支持部材）６３と、Ｚ方向一方（図中手前方向）に押圧するＺ押圧部６４と、光学素子６２をＹ方向について位置決めするＹ方向位置決めピン６５と、が配置されている。光学素子ケース６１１の下面部のＺ方向略中央には、Ｙ方向に長尺で且つＸ方向に貫通した貫通孔６１１ａが形成され、当該貫通孔６１１ａをレーザー光Ｌが通過できるように構成されている。また、光学素子ケース６１１の下面部のＺ方向両端部には、光学素子６２をＸ方向下方から支持する調整ピン（調整部材）６６が、Ｙ方向に沿って複数（図中では３本ずつ）配置されている。さらに、調整ピン６６は、図３に示すように、光学素子６２の短手方向（Ｚ方向）に複数列（図中では２列）配置されている。
【００３５】
調整ピン６６は、図４に示すように、一端（図中上端）側に円筒形状に形成された円筒部６６１と、他端（図中下端）側に円筒形状に形成された被保持部６６２と、円筒部６６１と被保持部６６２との境界に沿って両者を隔てるように設けられた隔壁部６６３と、円筒部６６１の外周面に設けられた圧縮コイルバネ６６４と、を備えて構成され、光学素子ケース６１１をＸ方向に貫通する挿通孔６１１ｂを下面側から挿通することで、光学素子６２を支持することができるようになっている。
【００３６】
円筒部６６１の上面には、球形状に形成された当接部６６１ａが設けられ、この当接部６６１ａが、光学素子６２と当接するようになっている。
被保持部６６２は、外周面に雄ネジが形成され、下面に十字型のネジ溝６６２ａが形成されている。
隔壁部６６３は、円板状に形成され、円筒部６６１及び被保持部６６２と比較して、長手方向（図中Ｘ方向）に直交するＹＺ平面に突出するように径が長くなっている。
圧縮コイルバネ６６４は、一端が光学素子ケース６１１の下面に当接されるとともに、他端が隔壁部６６３の上面に当接され、円筒部６６１の外周面に螺旋状に巻き付けられている。この圧縮コイルバネ６６４は、被保持部６６２と後述する調整ピンホルダー６６５との噛み合いガタ分を長手方向下方に付勢する。
【００３７】
また、調整ピン６６は、調整ピンホルダー６６５により光学素子ケース６１１に保持されている。
調整ピンホルダー６６５は、板状部材で形成され、長手方向（図中Ｙ方向）中央部を略コ字状に折り曲げて形成された保持部６６５ａを備えることにより、調整ピン６６を収納可能な収納空間が形成されて調整ピン６６を保持することができるようになっている。調整ピンホルダー６６５は、光学素子ケース６１１の長手方向（図中Ｙ方向）に長尺となるように配置された状態で、長手方向両端部を止めネジ６６５ｂにより光学素子ケース６１１に固定されている。
保持部６６５ａの略中央部には、調整ピン６６の被保持部６６２と略同径の円形孔６６５ｃが形成されており、この円形孔６６５ｃに被保持部６６２を挿通させることで調整ピン６６を保持することができるようになっている。
【００３８】
また、円形孔６６５ｃの内周面には、被保持部６６２の外周面に形成された雄ネジと螺合する雌ネジが形成されており、調整ピン６６の長手方向（図中Ｘ方向）を回転軸として調整ピン６６を回転させることで、調整ピン６６を長手方向に進退させることができるようになっている。なお、図４（Ａ）に示す調整ピン６６は、調整前の光学素子６２から退避した状態を示し、図中のＭ１は、調整ピン６６の当接部６６１ａと光学素子６２との隙間を示している。また、図４（Ｂ）に示す調整ピン６６は、調整ピン６６を回転させて長手方向上方に移動させ、調整ピン６６の当接部６６１ａを光学素子６２に当接させた状態を示している。
即ち、調整ピン６６は、光学素子６２から退避した状態で保持可能に構成され、退避した状態から光学素子６２に当接する方向に移動して、光学素子６２に当接することで光学素子６２の保持位置を調整する調整部材として機能する。
【００３９】
光学素子カバー６１２のＹ方向両端部には、光学素子６２を挟んで支持ピン６３と対向する位置に、光学素子６２をＸ方向上方から押圧して固定する第１押圧ピン６７が配置されている。また、光学素子カバー６１２の上面部のＺ方向両端部には、光学素子６２を挟んで調整ピン６６と対向する位置に、光学素子６２をＸ方向上方から押圧して固定する第２押圧ピン（押圧部材）６８が、Ｙ方向に沿って複数配置されている。
【００４０】
第２押圧ピン６８は、図４及び図５に示すように、一端（図中下端）側に円筒形状に形成された円筒部６８１と、他端（図中上端）側に形成され、後述する第２押圧ピンホルダー６８５により保持される被保持部６８２と、円筒部６８１と被保持部６８２との境界に沿って両者を隔てるように設けられた隔壁部６８３と、被保持部６８２の外周面に設けられた圧縮コイルバネ６８４と、を備えて構成され、光学素子カバー６１２をＸ方向に貫通する挿通孔６１２ｂを上面側から挿通することで、光学素子６２を押圧して固定することができるようになっている。
【００４１】
円筒部６８１の下面には、球形状に形成された当接部６８１ａが設けられ、この当接部６８１ａが、光学素子６２と当接するようになっている。なお、本実施形態では、球形状に形成された当接部６８１ａの半径が、同じく球形状に形成された調整ピン６６の当接部６６１ａの半径と同一となるように形成されている。即ち、調整ピン６６及び第２押圧ピン６８の光学素子６２に当接する側の一端は、互いに同径の球形状に形成されている。
被保持部６８２は、円筒形状に形成され、後述する第２押圧ピンホルダー６８５により保持される。また、被保持部６８２の上端側（光学素子６２に当接しない側）には、第２押圧ピン６８の長手方向（図中Ｘ方向）に直交する方向に貫通する挿通孔（ロックピン挿通孔）６８２ａが形成されている。
隔壁部６８３は、円板状に形成され、円筒部６８１及び被保持部６８２と比較して、長手方向（図中Ｘ方向）に直交するＹＺ平面に突出するように径が長くなっている。
圧縮コイルバネ６８４は、一端が後述する第２押圧ピンホルダー６８５の保持部６８５ａの下面に当接されるとともに、他端が隔壁部６８３の上面に当接され、被保持部６８２の外周面に螺旋状に巻き付けられている。この圧縮コイルバネ６８４は、第２押圧ピン６８を長手方向下方に付勢し、光学素子６２を押圧するための押圧力を発生させる。
【００４２】
また、第２押圧ピン６８は、第２押圧ピンホルダー（押圧部材ホルダー）６８５により光学素子カバー６１２に保持されている。
第２押圧ピンホルダー６８５は、板状部材で形成され、長手方向（図中Ｙ方向）中央部を略コ字状に折り曲げて形成された保持部６８５ａを備えることにより、第２押圧ピン６８を収納可能な収納空間が形成されて第２押圧ピン６８を保持することができるようになっている。第２押圧ピンホルダー６８５は、光学素子カバー６１２の長手方向（図中Ｙ方向）に長尺となるように配置された状態で、長手方向両端部を止めネジ６８５ｂにより光学素子カバー６１２に固定されている。
保持部６８５ａの略中央部には、第２押圧ピン６８の被保持部６８２と略同径の円形孔（押圧部材挿通孔）６８５ｃが形成されており、この円形孔６８５ｃに被保持部６８２を挿通させることで第２押圧ピン６８を保持することができるようになっている。
【００４３】
本実施形態では、図４（Ａ）及び図５（Ａ）に示すように、被保持部６８２に形成された挿通孔６８２ａを第２押圧ピンホルダー６８５よりも上方に位置させた状態で、挿通孔６８２ａに当該挿通孔６８２ａと略同径の棒状部材で形成されたロックピン６８６を挿通させることで、第２押圧ピン６８を光学素子６２から退避した状態で固定することができるようになっている。なお、図４（Ａ）中のＬ１は、第２押圧ピン６８の当接部６８１ａと光学素子６２との隙間を示している。
そして、図４（Ｂ）及び図５（Ｂ）に示すように、挿通孔６８２ａに挿通されていたロックピン６８６を引き抜くことで、第２押圧ピン６８を長手方向下方に下降させ、第２押圧ピン６８を光学素子６２に当接させることができるようになっている。ロックピン６８６を第２押圧ピン６８から引き抜く方法としては、例えば、手指やペンチ等でロックピン６８６の一端を狭持して引き抜く方法等が挙げられる。
即ち、第２押圧ピン６８は、光学素子６２を挟んで調整ピン６６と対向する位置に、光学素子６２から退避した状態で保持可能に構成され、退避した状態から光学素子６２に当接する方向に移動して、光学素子６２を押圧する押圧部材として機能する。
【００４４】
次に、光学素子６２を光学素子ホルダー６１に固定する方法について、図３〜図１１を参照して説明する。なお、図６〜図１１については、説明の都合上、光学素子ホルダー６１の記載を省略し、光学素子６２が調整ピン６６及び第２押圧ピン６８により固定される様子を見えやすくしている。
【００４５】
まず、光学素子ケース６１１に光学素子６２を挿入して搭載し、光学素子６２をＺ押圧部６４及びＹ方向位置決めピン６５に当接させて位置決めし、光学素子６２のＹ方向両端部を支持ピン６３により支持する。支持ピン６３は、図３及び図７に示すように、光学素子６２のＹ方向一端部（図中左端部）を１箇所、Ｙ方向他端部（図中右端部）を２箇所支持するように計３本が配置され、光学素子６２を３点（図中Ａ１〜Ａ３）で支持することで、光学素子６２に対するＸ方向の取付面を規定している。即ち、支持ピン６３は、光学素子ホルダー６１の光学素子ケース６１１に対して光学素子６２を３点で位置決めしている。
【００４６】
光学素子６２を支持ピン６３により支持した後、光学素子６２のＸ方向上方から光学素子カバー６１２を取り付け、光学素子６２のＹ方向両端部の光学素子６２を挟んで支持ピン６３と対向する位置を、第１押圧ピン６７により押圧して固定する。即ち、第１押圧ピン６７は、光学素子６２のＹ方向一端部を１箇所、Ｙ方向他端部を２箇所押圧するように計３本が配置され、光学素子６２を３点で押圧して固定する。これにより、光学素子ホルダー６１に対して光学素子６２が３点で位置決めされる。このとき、調整ピン６６及び第２押圧ピン６８は、光学素子６２から退避した状態で固定されている（図６参照）。
【００４７】
次に、光学素子ホルダー６１に対して光学素子６２を位置決めした状態で、調整ピン６６の長手方向を回転軸として調整ピン６６を回転させることにより調整ピン６６を長手方向の光学素子６２側に移動させ、調整ピン６６を光学素子６２に当接させる（図８参照）。調整ピン６６を回転させる方法としては、例えば、被保持部６６２の下面に形成されたネジ溝６６２ａにドライバーを挿入して回転させる方法等が挙げられる。この調整ピン６６が光学素子６２に当接した瞬間が調整ピン６６の調整位置となる。例えば、感光体等価位置でのビーム位置の変化を観察することで、調整ピン６６が光学素子６２に当接した瞬間を、サブμｍ程度の精度で把握することができる。なお、各調整ピン６６の移動方向（図中Ｃ１〜Ｃ３）は異なっているため、調整作業は個別に行われる。
調整ピン６６は、図３及び図７に示すように、光学素子６２のＺ方向両端部（図中上端部及び下端部）を、Ｙ方向に沿って３箇所ずつ支持するように計６本が配置され、光学素子６２を６点（図中Ｂ１〜Ｂ６）で支持する。
【００４８】
次に、第２押圧ピン６８の挿通孔６８２ａに挿通されているロックピン６８６を引き抜いて、第２押圧ピン６８を長手方向下方に下降させ、光学素子６２のＺ方向両端部の光学素子６２を挟んで調整ピン６６と対向する位置を、第２押圧ピン６８により押圧して固定する（図９参照）。即ち、第２押圧ピン６８は、光学素子６２のＺ方向両端部を、Ｙ方向に沿って３箇所ずつ押圧するように計６本が配置され、光学素子６２を６点で押圧して固定する。
【００４９】
このとき、図１０に示すように、調整ピン６６と光学素子６２が接触する点をＰ１、第２押圧ピン６８と光学素子６２が接触する点をＰ２とすると、この２点を結ぶ直線Ｔ３、調整ピン６６の移動方向Ｄ４、第２押圧ピン６８の押圧方向Ｄ５、及び第２押圧ピン６８の退避方向Ｄ６は、全て平行である。
また、図１１に示すように、直線Ｔ３と、調整ピン６６と光学素子６２が接触する点Ｐ１近傍の光学面の法線Ｄ７と、は平行である。
【００５０】
上述のように、調整ピン６６及び第２押圧ピン６８により、光学素子６２のＺ方向両端部をＹ方向に沿って３箇所ずつ計６箇所狭持することで、光学素子６２を固定する位置を増やすことができるので、光学素子６２をより安定した状態で固定することができる。なお、固定点のピッチが狭ければ狭いほど、環境変動による光学素子６２の変形を抑制する効果を期待することができる。調整ピン６６及び第２押圧ピン６８の位置が決まり、光学素子６２が固定された段階で、Ｙ方向位置決めピン６５を抜去する。
なお、調整ピン６６及び第２押圧ピン６８により光学素子６２を狭持する作業を行う際には、図示しない測定機により光学素子６２の状態をモニターすると、光学素子６２に生ずる歪の状態を精度よく監視することができるので、作業を行い易くすることができる。
【００５１】
以上のように、本実施形態のレーザー走査光学装置１００によれば、光学素子６２を保持位置で支持する支持ピン６３と、光学素子６２から退避した状態で保持可能に構成され、退避した状態から支持ピン６３により支持された光学素子６２に当接する方向に移動して、光学素子６２に当接することで光学素子６２の保持位置を調整する調整ピン６６と、光学素子６２を挟んで調整ピン６６と対向する位置に、光学素子６２から退避した状態で保持可能に構成され、退避した状態から調整ピン６６により保持位置が調整された光学素子６２に当接する方向に移動して、光学素子６２を押圧する第２押圧ピン６８と、を備えるので、光学素子６２に歪みが生じていない状態で調整ピン６６の位置を決めた後、第２押圧ピン６８により光学素子６２を押圧させて固定することができることとなって、光学素子６２を歪みなく保持することが可能となる。
【００５２】
特に、本実施形態のレーザー走査光学装置１００によれば、支持ピン６３は、光学素子６２を３点で位置決めしているが、一般に、部材を３点で保持することにより支持面が決まるため、３点保持することにより部材を歪みなく保持することができる。従って、本実施形態のレーザー走査光学装置１００によれば、光学素子６２を歪みなく位置決めした状態で調整ピン６６を光学素子６２に当接させることができることとなって、光学素子６２を歪みなく保持することができる。
しかも、本実施形態のレーザー走査光学装置１００によれば、支持ピン６３により３点保持するのみならず、調整ピン６６及び第２押圧ピン６８により１点以上保持するので、光学素子６２を全体として４点以上で保持することとなって、振動を防止する効果を向上させることができる。
【００５３】
また、本実施形態のレーザー走査光学装置１００によれば、光学素子ホルダー６１には、第２押圧ピン６８を挿通可能な円形孔６８５ｃを有し、当該円形孔６８５ｃに第２押圧ピン６８を挿通させて第２押圧ピン６８を保持する第２押圧ピンホルダー６８５が備えられ、第２押圧ピン６８は、光学素子６２を押圧するための押圧力を発生させる圧縮コイルバネ６８４と、他端側（光学素子６２に当接しない側）に形成された挿通孔６８２ａに挿通可能に形成され、挿通孔６８２ａを第２押圧ピンホルダー６８５の上方に位置させた状態で挿通孔６８２ａに挿通されて当該第２押圧ピン６８を光学素子６２から退避した状態で固定するロックピン６８６と、を備え、第２押圧ピン６８からロックピン６８６を引き抜くことにより、当該第２押圧ピン６８を光学素子６２に当接する方向に移動可能であるので、容易に第２押圧ピン６８の退避状態を解除することができることとなって、作業効率を向上させることができる。
【００５４】
以上、本発明に係る実施形態に基づいて具体的に説明したが、本発明は上記実施形態に限定されるものではなく、その要旨を逸脱しない範囲で変更可能である。
【００５５】
（変形例１）
例えば、図１２及び図１３に示す例では、実施形態と比べ、第２押圧ピン６８及び第２押圧ピンホルダー６８５の構造が異なっている。なお、説明の簡略化のため、実施形態と同様の構成については、同一の符号を付して、その詳細な説明を省略する。
【００５６】
変形例１に係る第２押圧ピン６８Ａは、一端（図中下端）側に円筒形状に形成された円筒部６８１と、他端（図中上端）側に形成され、後述する第２押圧ピンホルダー６８５Ａにより保持される被保持部６８２と、円筒部６８１と被保持部６８２との境界に沿って両者を隔てるように設けられた隔壁部６８３と、被保持部６８２の外周面に設けられた圧縮コイルバネ６８４と、被保持部６８２に形成された挿通孔６８２ａに挿通して固定される固定ロックピン６８６Ａと、を備えて構成され、光学素子カバー６１２をＸ方向に貫通する挿通孔６１２ｂを上面側から挿通することで、光学素子６２を押圧して固定することができるようになっている。
【００５７】
固定ロックピン６８６Ａは、挿通孔６８２ａと略同径の棒状部材で形成され、挿通孔６８２ａに挿通された後、両端が挿通孔６８２ａからわずかに突出した状態で固定されている。
【００５８】
また、変形例１に係る第２押圧ピン６８Ａは、第２押圧ピンホルダー６８５Ａにより光学素子カバー６１２に保持されている。
第２押圧ピンホルダー６８５Ａは、板状部材で形成され、長手方向（図中Ｙ方向）中央部を略コ字状に折り曲げて形成された保持部６８５ａを備えることにより、第２押圧ピン６８Ａを収納可能な収納空間が形成されて第２押圧ピン６８Ａを保持することができるようになっている。第２押圧ピンホルダー６８５Ａは、光学素子カバー６１２の長手方向（図中Ｙ方向）に長尺となるように配置された状態で、長手方向両端部を止めネジ６８５ｂにより光学素子カバー６１２に固定されている。
保持部６８５ａの略中央部には、第２押圧ピン６８Ａの被保持部６８２と略同径の円形孔６８５ｃが形成されており、この円形孔６８５ｃに被保持部６８２を挿通させることで第２押圧ピン６８Ａを保持することができるようになっている。
また、保持部６８５ａの短手方向（図中Ｚ方向）の略中央部には、長手方向（図中Ｙ方向）に沿って、固定ロックピン６８６Ａが嵌合可能に形成された嵌合溝６８５ｄが、円形孔６８５ｃと一体形成されている。
【００５９】
変形例１では、図１２（Ａ）及び図１３（Ａ）に示すように、被保持部６８２に形成された挿通孔６８２ａに挿通された固定ロックピン６８６Ａが、第２押圧ピンホルダー６８５Ａに形成された嵌合溝６８５ｄに直交する方向（図中Ｚ方向）を向くように、第２押圧ピン６８Ａを当該第２押圧ピン６８Ａの移動方向を回転軸として回転させ、固定ロックピン６８６Ａを第２押圧ピンホルダー６８５Ａの上面に載置させることで、第２押圧ピン６８Ａを光学素子６２から退避させた状態で固定することができるようになっている。なお、図１２（Ａ）中のＬ２は、第２押圧ピン６８Ａの当接部６８１ａと光学素子６２との隙間を示している。
そして、図１２（Ｂ）及び図１３（Ｂ）に示すように、第２押圧ピン６８Ａを回転させ、固定ロックピン６８６Ａを嵌合溝６８５ｄに嵌合させることで、第２押圧ピン６８を長手方向下方に下降させ、第２押圧ピン６８を光学素子６２に当接させることができるようになっている。第２押圧ピン６８Ａを回転させる方法としては、例えば、手指やペンチ等で固定ロックピン６８６Ａの一端を狭持して回転させる方法等が挙げられる。
即ち、第２押圧ピン６８Ａは、光学素子６２を挟んで調整ピン６６と対向する位置に、光学素子６２から退避した状態で保持可能に構成され、退避した状態から光学素子６２に当接する方向に移動して、光学素子６２を押圧する押圧部材として機能する。
【００６０】
以上のように、変形例１のレーザー走査光学装置１００によれば、光学素子ホルダー６１には、第２押圧ピン６８Ａを挿通可能な円形孔６８５ｃを有し、当該円形孔６８５ｃに第２押圧ピン６８Ａを挿通させて第２押圧ピン６８Ａを保持する第２押圧ピンホルダー６８５Ａが備えられ、第２押圧ピン６８Ａは、光学素子６２を押圧するための押圧力を発生させる圧縮コイルバネ６８４と、他端側に形成された挿通孔６８２ａに挿通された状態で固定され、第２押圧ピンホルダー６８５Ａに円形孔６８５ｃと一体形成された嵌合溝６８５ｄに直交する方向に載置されて第２押圧ピン６８Ａを光学素子から退避した状態で固定する固定ロックピン６８６Ａと、を備え、第２押圧ピン６８Ａを、当該第２押圧ピン６８Ａの移動方向を回転軸として回転させ、固定ロックピン６８６Ａを嵌合溝６８５ｄに嵌合させることにより、当該第２押圧ピン６８Ａを光学素子６２に当接する方向に移動可能であるので、容易に第２押圧ピン６８Ａの退避状態を解除することができることとなって、作業効率を向上させることができる。
【００６１】
（変形例２）
例えば、図１４及び図１５に示す例では、実施形態と比べ、第２押圧ピン６８及び第２押圧ピンホルダー６８５の構造、並びに光学素子カバー６１２に形成される挿通孔６１２ｂの形状が異なっている。なお、説明の簡略化のため、実施形態と同様の構成については、同一の符号を付して、その詳細な説明を省略する。
【００６２】
変形例２に係る第２押圧ピン６８Ｂは、一端（図中下端）側に円筒形状に形成された中空の円筒部６８１Ｂと、他端（図中上端）側に円筒形状に形成され、後述する第２押圧ピンホルダー６８５Ｂにより保持される被保持部６８２Ｂと、円筒部６８１Ｂの下面に形成された挿通孔６８１ｂを挿通する当接部６８７Ｂと、円筒部６８１Ｂ内に設けられ、当接部６８７Ｂと一体形成された円板部６８８Ｂと、円筒部６８１Ｂ内に設けられ、一端が円板部６８８Ｂの上面に当接され、他端が円筒部６８１Ｂの上端部の下面に当接された圧縮コイルバネ６８４Ｂと、を備えて構成され、光学素子カバー６１２をＸ方向に貫通する挿通孔６１２ｂを上面側から挿通することで、光学素子６２を押圧して固定することができるようになっている。また、変形例２では、光学素子カバー６１２に形成された挿通孔６１２ｂの下端部に、円筒部６８１Ｂの下面と当接する座面６１２ｃが形成されている。なお、図１４及び図１５については、説明の都合上、円筒部６８１Ｂの記載を二点鎖線で示すようにし、円筒部６８１Ｂ内の構造を見えやすくしている。
【００６３】
円筒部６８１Ｂは、中空の円筒部材で形成され、下面の略中央部には、第２押圧ピン６８Ｂの長手方向（図中Ｘ方向）に貫通する挿通孔６８１ｂが形成されている。
被保持部６８２Ｂは、外周面に雄ネジが形成され、上面に十字型のネジ溝６８２ｂが形成されている。即ち、被保持部６８２Ｂは、後述する第２押圧ピンホルダー６８５Ｂの円形孔６８５ｃＢと螺合するように形成されており、ネジ部として機能する。
当接部６８７Ｂは、挿通孔６８１ｂと略同径の円筒形状に形成され、下端が球形状に形成されている。この当接部６８７Ｂが、光学素子６２と当接するようになっている。なお、変形例２では、球形状に形成された当接部６８７Ｂの下端の半径が、同じく球形状に形成された調整ピン６６の当接部６６１ａの半径と同一となるように形成されている。
円板部６８８Ｂは、円筒部６８１Ｂの内径と略同径の円板形状に形成され、下面の略中央部には、当接部６８７Ｂの上端が固定されている。
圧縮コイルバネ６８４Ｂは、一端が円板部６８８Ｂの上面に当接されるとともに、他端が円筒部６８１Ｂの上端部の下面に当接され、円板部６８８Ｂを介して当接部６８７Ｂを長手方向下方に付勢し、光学素子６２を押圧するための押圧力を発生させる。
【００６４】
また、第２押圧ピン６８Ｂは、第２押圧ピンホルダー６８５Ｂにより光学素子カバー６１２に保持されている。
第２押圧ピンホルダー６８５Ｂは、板状部材で形成され、長手方向（図中Ｙ方向）中央部を略コ字状に折り曲げて形成された保持部６８５ａを備えることにより、第２押圧ピン６８Ｂを収納可能な収納空間が形成されて第２押圧ピン６８Ｂを保持することができるようになっている。第２押圧ピンホルダー６８５Ｂは、光学素子カバー６１２の長手方向（図中Ｙ方向）に長尺となるように配置された状態で、長手方向両端部を止めネジ６８５ｂにより光学素子カバー６１２に固定されている。
保持部６８５ａの略中央部には、第２押圧ピン６８Ｂの被保持部６８２Ｂと略同径の円形孔６８５ｃＢが形成されており、この円形孔６８５ｃＢに被保持部６８２Ｂを挿通させることで第２押圧ピン６８Ｂを保持することができるようになっている。
【００６５】
また、円形孔６８５ｃＢの内周面には、被保持部６８２Ｂの外周面に形成された雄ネジと螺合する雌ネジが形成されており、第２押圧ピン６８Ｂの長手方向（図中Ｘ方向）を回転軸として第２押圧ピン６８Ｂを回転させることで、第２押圧ピン６８Ｂを長手方向に進退させることができるようになっている。第２押圧ピン６８Ｂを回転させる方法としては、例えば、被保持部６８２Ｂの上面に形成されたネジ溝６８２ｂにドライバーを挿入して回転させる方法等が挙げられる。なお、図１４（Ａ）及び図１５（Ａ）に示す第２押圧ピン６８Ｂは、調整前の状態を示し、図１４（Ａ）中のＬ３は、第２押圧ピン６８Ｂの当接部６８７Ｂと光学素子６２との隙間を示している。また、図１４（Ｂ）及び図１５（Ｂ）に示す第２押圧ピン６８Ｂは、第２押圧ピン６８Ｂを当該第２押圧ピン６８Ｂの移動方向を回転軸として回転させて長手方向下方に移動させ、第２押圧ピン６８Ｂの当接部６８７Ｂを光学素子６２に当接させた状態を示している。
即ち、第２押圧ピン６８Ｂは、光学素子６２を挟んで調整ピン６６と対向する位置に、光学素子６２から退避した状態で保持可能に構成され、退避した状態から光学素子６２に当接する方向に移動して、光学素子６２を押圧する押圧部材として機能する。
【００６６】
ここで、変形例２では、図１４（Ａ）及び図１５（Ａ）に示すように、調整前の退避状態においては、円板部６８８Ｂの下面が円筒部６８１Ｂの下端部の上面に当接した状態となっている。
一方、第２押圧ピン６８Ｂを回転させて長手方向下方に移動させた場合、まず、当接部６８７Ｂが光学素子６２に当接する。当接部６８７Ｂが光学素子６２に当接した後もなお第２押圧ピン６８Ｂを回転させると、円筒部６８１Ｂは引き続き下方に移動するものの、光学素子６２に当接した当接部６８７Ｂの位置は変化しないため、円板部６８８Ｂの下面と円筒部６８１Ｂの下端部の上面との間に隙間が生じ始める。更に第２押圧ピン６８Ｂを回転させると、図１４（Ｂ）及び図１５（Ｂ）に示すように、円筒部６８１Ｂの下面が座面６１２ｃに当接し、円筒部６８１Ｂの下方への移動が停止される。変形例２では、上記構造を備えることにより、当接部６８７Ｂによる光学素子６２に対する過剰な押圧を防止することができる。なお、図１４（Ｂ）中のＬ４は、円筒部６８１Ｂの下面が座面６１２ｃに当接した際の、円板部６８８Ｂの下面と円筒部６８１Ｂの下端部の上面との隙間を示している。
【００６７】
以上のように、変形例２のレーザー走査光学装置１００によれば、光学素子ホルダー６１には、第２押圧ピン６８Ｂを挿通可能な円形孔６８５ｃＢを有し、当該円形孔６８５ｃＢに第２押圧ピン６８Ｂを挿通させて第２押圧ピン６８Ｂを保持する第２押圧ピンホルダー６８５Ｂが備えられ、円形孔６８５ｃＢの内周面は、第２押圧ピン６８Ｂの他端側に形成された被保持部６８２Ｂと螺合するように形成され、第２押圧ピン６８Ｂは、光学素子６２を押圧するための押圧力を発生させる圧縮コイルバネ６８４Ｂを備え、第２押圧ピン６８Ｂを、当該第２押圧ピン６８Ｂの移動方向を回転軸として回転させることにより、当該第２押圧ピン６８Ｂを光学素子６２に当接する方向に移動可能であるので、容易に第２押圧ピン６８Ｂの退避状態を解除することができることとなって、作業効率を向上させることができる。
【００６８】
（その他の変形例）
また、上記実施形態では、光学素子６２を、調整ピン６６によりＸ方向下方から支持し、第２押圧ピン６８によりＸ方向上方から押圧して固定するようにしているが、これに限定されるものではなく、例えば、図１６に示すように、調整ピン６６と第２押圧ピン６８の位置関係を逆転させるようにしてもよい。即ち、光学素子６２を、調整ピン６６によりＸ方向上方から支持し、第２押圧ピン６８によりＸ方向下方から押圧して固定するようにしてもよい。
【００６９】
また、上記実施形態では、図８〜１１に示すように、調整ピン６６と光学素子６２が接触する点Ｐ１近傍の光学面の法線Ｄ７と平行な方向に調整ピン６６及び第２押圧ピン６８を移動させるようにしているが、これに限定されるものではなく、例えば、図１７に示すように、調整ピン６６の移動方向（図中Ｃ２、Ｃ４、Ｃ５）、第２押圧ピン６８の移動方向、及び調整ピン６６と光学素子６２が接触する点と第２押圧ピン６８と光学素子６２が接触する点とを結ぶ直線の全てが平行となるように調整ピン６６及び第２押圧ピン６８を配置するようにしてもよい。これにより、調整ピン６６及び第２押圧ピン６８の移動方向が同一となるので、作業範囲を狭くすることができ、作業性を向上させることができる。
【００７０】
また、上記実施形態では、長尺の光学素子６２に対して本発明を適用しているが、これに限定されるものではなく、光学素子ホルダーに対する位置決めが必要となる形状であればいかなる形状の光学素子に対しても本発明を適用することが可能である。
また、上記実施形態では、レーザー走査光学装置１００の第３の光学系６に対して本発明を適用しているが、これに限定されるものではなく、レーザー走査光学装置１００の他の光学系に適用してもよいし、レーザー走査光学装置１００以外の光学装置に備えられた光学素子に対して適用してもよい。
【００７１】
また、上記実施形態では、支持ピン６３及び第１押圧ピン６７により、光学素子６２のＹ方向一端部を１箇所、Ｙ方向他端部を２箇所の計３点で固定して位置決めするようにしているが、これに限定されるものではなく、光学素子６２を位置決めできる構成であれば、何点で位置決めするようにしてもよい。例えば、光学素子６２のＹ方向一端部を実施形態と同様１点で固定し、Ｙ方向他端部を支持ピン６３及び第１押圧ピン６７よりも幅のある部材で面固定して位置決めするようにしてもよい。
【００７２】
また、上記実施形態では、調整ピン６６及び第２押圧ピン６８により光学素子６２を計６箇所固定するように構成しているが、これに限定されるものではなく、任意の箇所を固定するように構成してもよい。例えば、１箇所のみ固定するように構成してもよいし、１０箇所を固定するように構成してもよい。
【００７３】
その他、レーザー走査光学装置及び画像形成装置を構成する各装置の細部構成及び細部動作に関しても、本発明の趣旨を逸脱することのない範囲で適宜変更可能である。
【符号の説明】
【００７４】
１０００  画像形成装置
１００  レーザー走査光学装置
２００  感光体（被照射体）
２１０  帯電部
２２０  現像部
３００  中間転写ベルト
４００  転写ローラ（転写部）
５００  定着部
１  光源
２  光源ホルダー
３  第一の光学系
４  第二の光学系
５  偏向器
６  第三の光学系（光学素子保持機構）
６１  光学素子ホルダー
６１１  光学素子ケース
６１２  光学素子カバー
６２  光学素子（長尺光学素子）
６３  支持ピン（支持部材）
６４  Ｚ押圧部
６５  Ｙ方向位置決めピン
６６  調整ピン（調整部材）
６６１  円筒部
６６２  被保持部
６６３  隔壁部
６６４  圧縮コイルバネ
６６５  調整ピンホルダー
６７  第１押圧ピン
６８、６８Ａ、６８Ｂ  第２押圧ピン（押圧部材）
６８１、６８１Ｂ  円筒部
６８２  被保持部
６８２Ｂ  被保持部（ネジ部）
６８２ａ  挿通孔（ロックピン挿通孔）
６８３  隔壁部
６８４、６８４Ｂ  圧縮コイルバネ
６８５、６８５Ａ、６８５Ｂ  第２押圧ピンホルダー（押圧部材ホルダー）
６８５ｃ、６８５ｃＢ  円形孔（押圧部材挿通孔）
６８５ｄ  嵌合溝
６８６  ロックピン
６８６Ａ  固定ロックピン
６８７Ｂ  当接部
６８８Ｂ  円板部
７  第四の光学系
８  センサー
９  光学ハウジング
【図１】
2014013332.tif 000003
【図２】
2014013332.tif 000004
【図３】
2014013332.tif 000005
【図４】
2014013332.tif 000006
【図５】
2014013332.tif 000007
【図６】
2014013332.tif 000008
【図７】
2014013332.tif 000009
【図８】
2014013332.tif 000010
【図９】
2014013332.tif 000011
【図１０】
2014013332.tif 000012
【図１１】
2014013332.tif 000013
【図１２】
2014013332.tif 000014
【図１３】
2014013332.tif 000015
【図１４】
2014013332.tif 000016
【図１５】
2014013332.tif 000017
【図１６】
2014013332.tif 000018
【図１７】
2014013332.tif 000019